(57)【要約】      （修正有）【課題】モップ除塵機能とモップ収納機能とを兼備し、モップと真空掃除機の二種の掃除用具を同時に格納可能で、塵埃回収手段として真空掃除機を利用することが可能なモップクリーナを提供する。【解決手段】機体ケース１内に内装したモップカゴ２にモップ収納空間Ｐ１を形成し、機体ケース１とモップカゴ２との間で塵埃回収空間Ｐ２を形成し、縦長筒状の機体ケース１の下端部と篏合自在な直立筒状壁３ｂおよび機体ケース１の下端部側方へ連続する側方延長部３ｂとを形成した台座３を設け、機体ケース１の上端部の側方に、台座３の直立筒状壁３ｂの上方に位置して掃除機支持体５を隣接し、台座３の側方延長部３ａには、塵埃回収空間Ｐ２に連続するダスト収容空間Ｐ３を形成した構成により、ダスト収容空間Ｐ３内の塵埃を、ダスト収容空間Ｐ３のダスト排出口を介して、掃除機支持体５により支持される真空掃除機のダスト吸引部により吸引することができる。【選択図】図７
2015009030.tif 000002
【特許請求の範囲】
【請求項１】
縦長筒状の機体ケース内に、モップカゴを内装して、モップカゴ内にモップ収納空間（Ｐ1）を形成し、機体ケースとモップカゴとの間で塵埃回収空間（Ｐ2）を形成し、
縦長筒状の機体ケースの下端部と篏合自在な直立筒状壁および機体ケースの  下端部側方へ連続する側方延長部とを形成した台座を設け、
機体ケースの上端部の側方に、台座の直立筒状壁の上方に位置して掃除機支持体を隣接し、
前記台座の側方延長部には、塵埃回収空間（Ｐ2）に連続するダスト収容空間（Ｐ3）を形成し、
前記ダスト収容空間（Ｐ3）内の塵埃を、ダスト収容空間（Ｐ3）のダスト排出口を介して、前記掃除機支持体により支持される真空掃除機のダスト吸引部により吸引して、真空掃除機により塵埃回収を行うとともに、モップ収納とダスト分離収容とを同時に行うことを特徴とする、モップクリーナ。
【請求項２】
ダスト収容空間（Ｐ3）のダスト排出口として、
前記台座の側方延長部の上面に、真空掃除機のダスト吸引部を包囲するとともに、ダスト収容空間（Ｐ3）と連通する排出空間を形成する排出壁を上方に向けて突設して、真空掃除機のダスト吸引部を、前記排出壁内に戴置自在とし、
機体ケース、台座および真空掃除機のダスト吸引部を、互いに分離可能としたことを特徴とする請求項1に記載するモップクリーナ。
【請求項３】
ダスト収容空間（Ｐ3）のダスト排出口として、
前記台座の側方延長部の上面より上方へ突出する円筒体を形成して、真空掃除機のダスト吸引部を、前記円筒体と係合自在とし、
機体ケース1、台座および真空掃除機のダスト吸引部を、互いに分離可能としたことを特徴とする請求項1に記載するモップクリーナ。
【発明の詳細な説明】
【技術分野】
【０００１】
本発明は、モップクリーナに関するものである。より詳しくは、室内床面、壁面等に付着した塵埃を除去するための清掃用具であるモップについて、モップに付着した塵埃を分離・集塵するとともに、モップを保管するための装置に関するものである。
【背景技術】
【０００２】
柄の先端にモップ清掃体を水平状態で装備したモップに関して、モップ清掃体を水平状態に維持した状態で、モップの洗浄、収納を行うものは、特に、モップ清掃体を円形とするものにおいて、公知である。
【０００３】
特許文献1の特開2003-245228号公報「清掃具」には、電気掃除機とモップとを同時に収納可能な掃除具が開示されている。
モップと電気掃除機とを一体化する技術思想は存在しないことで、モップ収納の機能は存在するが、モップクリーニングの機能は存在しない。
【０００４】
特許文献1の特開2003-153830号公報「床用定置式集塵装置」には、モップに付着した塵埃を分離・集塵するための塵埃吸引口が、機体ケースの側面に形成されているモップ塵埃集塵装置が開示されている。
モップの収納のためには、公知のごみ箱を使用するか、室内床面に放置することとなる。
【先行技術文献】
【特許文献】
【０００５】
【特許文献１】特開2003-245228号公報「清掃具」
【特許文献２】特開2003-153830号公報「床用定置式集塵装置」
【発明の概要】
【発明が解決しようとする課題】
【０００６】
本発明は、モップクリーナとして、モップ除塵機能とモップ収納機能とを兼備するとともに、モップと真空掃除機の二種の掃除用具を同時に格納可能とすること、更に、モップクリーナーの塵埃回収手段として真空掃除機を利用することを課題とする。
【課題を解決するための手段】
【０００７】
本願発明は、縦長筒状の機体ケース1内に、モップカゴ2を内装して、モップカゴ2内にモップ収納空間Ｐ1を形成し、機体ケース1とモップカゴ2との間で塵埃回収空間Ｐ2を形成し、縦長筒状の機体ケース1の下端部と篏合自在な直立筒状壁3ｂおよび機体ケース1の下端部側方へ連続する側方延長部3ａとを形成した台座3を設け、機体ケース1の上端部の側方に、台座3の直立筒状壁3ｂの上方に位置して掃除機支持体5を隣接し、前記台座3の側方延長部3ａには、塵埃回収空間Ｐ2に連続するダスト収容空間Ｐ3を形成し、前記ダスト収容空間Ｐ3内の塵埃を、ダスト収容空間Ｐ3のダスト排出口4を介して、前記掃除機支持体5により支持される真空掃除機のダスト吸引部により吸引して、真空掃除機により塵埃回収を行うとともに、モップ収納とダスト分離収容とを同時に行うことを特徴とする。
【発明の効果】
【０００８】
本願発明は、縦長筒状の機体ケース1内に、モップカゴ2を内装して、モップカゴ2内にモップ収納空間Ｐ1を形成し、機体ケース1とモップカゴ2との間で塵埃回収空間Ｐ2を形成したので、機体ケース1内のモップ収納空間Ｐ1と塵埃回収空間Ｐ2により、モップ除塵機能とモップ収納機能とを兼備することができる。
機体ケース1と篏合自在な直立筒状壁3ｂと側方延長部3ａを有する台座3を設け、該台座の側方延長部3ａに、塵埃回収空間Ｐ2に連通するダスト収容空間Ｐ3を形成し、該ダスト収容空間Ｐ3のダスト排出口4を形成するとともに、機体ケース1の上端部の側方に、台座3の直立筒状壁3ｂの上方に位置して掃除機支持体6を隣接したから、
モップと真空掃除機の二種の掃除用具を同時に格納可能とするとともに、格納した真空掃除機をモップクリーナーの塵埃回収手段として利用する効果を有する。
【図面の簡単な説明】
【０００９】
【図１】本願第１実施例のモップクリーナーの斜視図。
【図２】同じく側面図。
【図３】同じく縦断面図。
【図４】真空掃除機を分離した状態で示す、図１同様の斜視図。
【図５】本願第2実施例のモップクリーナーの斜視図。
【図６】同じく側面図。
【図７】同じく縦断面図。
【図８】真空掃除機を分離した状態で示す、図１同様の斜視図。
【図９】モップの斜視図。
【図１０】同じく正面図。
【発明を実施するための最良の形態】
【００１０】
図１ないし図４を参照して、本発明のモップクリーナの第1実施例を説明する。
【００１１】
1は、縦長筒状の機体ケースで、内部に、モップカゴ2を装備することにより、モップカゴ2内にモップ収納空間Ｐ1を形成し、機体ケース1とモップカゴ2との間で塵埃回収空間Ｐ2を形成する。モップ収納空間Ｐ1には、図３を参照して、モップＡを、先端の集塵作業部Ａ1をほぼ垂直状態に折り曲げた状態で収容している。
【００１２】
3は、台座で、直立筒状壁3ｂが形成されて、縦長筒状の機体ケース1の下端部と篏合自在である。
前記台座3には、機体ケース1の下端部側方へ連続する側方延長部3ａが形成されている。
【００１３】
4は、台座3の側方延長部3ａの上面に形成されたダスト排出口で、ダスト収容空間Ｐ3に通じている。
【００１４】
5は、掃除機支持体で、機体ケース1の上端部の側方に位置して機体ケース1と隣接し、台座3の側方延長部3ａの上方に位置して掃除機支持体5を隣接している。
【００１５】
前記台座3の側方延長部3ａの内部で、塵埃回収空間Ｐ2に連続するダスト収容空間Ｐ3を形成している。
【００１６】
塵埃回収空間P2の塵埃は、前記ダスト収容空間Ｐ3、ダスト排出口4を介して、前記掃除機支持体5により支持される真空掃除機のダスト吸引部により吸引されて、真空掃除機により塵埃回収される。
【００１７】
第１実施例においては、前記台座3の側方延長部3ａの上面に、真空掃除機のダスト吸引部を包囲するとともに、ダスト収容空間Ｐ3と連通する排出空間を形成する排出壁4ａを上方に向けて突設することにより、排出壁4ａで前述のダスト収容空間Ｐ3のダスト排出口4を構成する。
【００１８】
真空掃除機Ｂのダスト吸引部の先端清掃作業部6を、前記排出壁4ａ内に戴置した状態では、真空掃除機Ｂのダスト吸引部は、ダスト収容空間Ｐ3と連通状態が維持されることとなる。
【００１９】
図4に示されるごとく、真空掃除機Ｂは、機体レース1、台座3と分離されて、独立して適所の清掃が可能である。
【００２０】
図５ないし図８に示す第２実施例においては、
前記台座3の側方延長部3ａの上面より上方へ突出する円筒体4ｂを形成して、真空掃除機のダスト吸引部6を、前記円筒体4ｂと係合自在とし、円筒体4ｂで前述のダスト収容空間Ｐ3のダスト排出口4を構成する。
【００２１】
円筒体4ｂは、真空掃除機Ｂのダスト吸引部の先端清掃作業部6bと係合することで、付近空間への塵埃の飛散は防止される。
【００２２】
円筒体4ｂは、真空掃除機Ｂのダスト吸引部の先端清掃作業部6bと係合を離脱させるとともに、掃除機支持体5と離別することにより、図8に示されるごとく、真空掃除機Ｂは、機体レース1、台座3と分離されて、独立して適所の清掃が可能である。
【００２３】
実施例においては、モップＡは、図９および図１０を参照して、先端の集塵作業部Ａ1を、軸支部Ａ2を支点として折り曲げ自在とし、モップかご２への収容時には、集塵作業部Ａ1を垂直方向とし、集塵作業時には、水平状態とする構造である。
【００２４】
本願発明は、モップと真空掃除機の二種の掃除用具を同時に格納することにより、清掃作業の変化に迅速容易に対応することができる。たとえば、モップによる床面、壁面等の広面積の清掃と、モップクリーナの近傍・机上等の挾小範囲を対象とする真空掃除機による清掃とを適宜選択することができる。
【００２５】
また、機体ケース1、台座3および真空掃除機のダスト吸引部5を、互いに分離可能としたことで、製品の保管、移動を合理化することで販売経費を削減することができる。
【産業上の利用可能性】
【００２６】
本発明は、モップの収納、塵埃回収を改善することにより、モップクリーナの利用を促進して、モップクリーナの製造産業の発展に寄与するものである。
【符号の説明】
【００２７】
P1     収納空間
Ｐ2    塵埃回収空間
Ｐ3    ダスト収容空間
1は、機体ケース
2    モップカゴ
3    台座
3ａ  直立筒状壁
4    ダスト排出口
5    掃除機支持体
【図１】
2015009030.tif 000003
【図２】
2015009030.tif 000004
【図３】
2015009030.tif 000005
【図４】
2015009030.tif 000006
【図５】
2015009030.tif 000007
【図６】
2015009030.tif 000008
【図７】
2015009030.tif 000009
【図８】
2015009030.tif 000010
【図９】
2015009030.tif 000011
【図１０】
2015009030.tif 000012